(57)【要約】【課題】ＩＰ放送の受信環境下では、宅内ＬＡＮを用いて各機器にＩＰ放送データを伝送するため、宅内ＬＡＮの空き伝送帯域が不足した場合にＩＰ放送を録画することが出来なくなるという課題があった。【解決手段】本発明では、ハードディスクレコーダ６で録画予約を行う際に、ＳＴＢ７、ＩＰＴＶ８、ＩＰＴＶ９、ＩＰＴＶ１０がＩＰ放送の視聴やＩＰ放送の録画を行っていて宅内ＬＡＮ４の空き伝送帯域が足りない場合、宅内ＬＡＮ４の伝送帯域を使用しない録画機器であるハードディスクレコーダ５が代理で録画を行うことにより、宅内ＬＡＮの利用状況に応じたＩＰ放送録画を可能とする。【選択図】図１
2009182420.tif 000002
【特許請求の範囲】
【請求項１】
宅外ネットワークに直接接続された映像受信装置をマスタ機器とし、少なくとも１台のマスタ機器と前記宅外ネットワークに直接接続されていない複数の映像受信装置が同一の宅内ネットワークに接続している代理録画システムにおいて、
前記マスタ機器以外の映像受信装置は、前記宅外ネットワークから伝送されるデータを前記マスタ機器を介して受信し、
前記マスタ機器以外で行われる所定の動作によって、前記宅内ネットワーク内の伝送帯域が不足する場合には、前記マスタ機器以外に設定された録画予約を前記マスタ機器で代理実行することを特徴とする代理録画システム。
【請求項２】
前記マスタ機器以外で行われる所定の動作は、録画予約であることを特徴とする請求項１に記載の代理録画システム。
【請求項３】
前記マスタ機器以外で行われる所定の動作は、放送視聴予約であることを特徴とする請求項１に記載の代理録画システム。
【請求項４】
前記マスタ機器以外に行われる所定の動作は、放送視聴であることを特徴とする請求項１に記載の代理録画システム。
【請求項５】
前記マスタ機器以外に行われる所定の動作は、ビデオ・オン・デマンドの視聴であることを特徴とする請求項１に記載の代理録画システム。
【請求項６】
前記放送は、インターネット通信回線を利用して行われる放送であることを特徴とする請求項４に記載の代理録画システム。
【請求項７】
前記マスタ機器が代理実行する録画予約の開始前に、前記宅内ネットワークに前記代理実行する録画予約を実行するために必要な伝送帯域が確保できる場合には、前記マスタ機器は、前記代理実行する録画予約を本来録画予約された映像受信装置に戻すことを特徴とする請求項１ないし請求項６に記載の代理録画システム。
【請求項８】
前記マスタ機器は、代理録画で録画した録画済データを伝送するために必要な伝送帯域が前記宅内ネットワークに確保できる場合には、前記録画済データを本来録画予約された映像受信装置へ移動させることを特徴とする請求項１ないし請求項７記載の代理録画システム。
【請求項９】
請求項１ないし請求項８記載の代理録画システムにおける映像受信装置であって、
ユーザからの所定の動作によって、前記宅内ネットワーク内の伝送帯域が不足する場合には、前記マスタ機器以外に設定された録画予約を前記マスタ機器に代理実行させることを特徴とする映像受信装置。
【請求項１０】
請求項１ないし請求項８記載の代理録画システムにおける映像受信装置であって、
ユーザからの所定の動作によって、前記宅内ネットワーク内の伝送帯域が不足する場合には、他の映像受信装置に設定された録画予約を代理実行することを特徴とする映像受信装置。
【請求項１１】
代理実行する録画予約の開始前に、前記宅内ネットワークに前記代理実行する録画予約を実行するために必要な伝送帯域が確保できる場合には、前記代理実行する録画予約を本来録画予約された映像受信装置に戻すことを特徴とする請求項１０記載の映像受信装置。
【請求項１２】
代理録画で録画した録画済データを伝送するために必要な伝送帯域が前記宅内ネットワークに確保できる場合には、前記録画済データを本来録画予約された映像受信装置へ移動させることを特徴とする請求項１１記載の映像受信装置。
【請求項１３】
宅外ネットワークに直接接続された映像受信装置をマスタ機器とし、少なくとも１台のマスタ機器と前記宅外ネットワークに直接接続されていない複数の映像受信装置が同一の宅内ネットワークに接続しているネットワークシステムにおける代理録画方法であって、
前記マスタ機器以外で行われる所定の動作によって、前記宅内ネットワーク内の伝送帯域が不足する場合には、前記マスタ機器以外に設定された録画予約を前記マスタ機器で代理実行させることを特徴とする代理録画方法。
【請求項１４】
請求項１３に記載の代理録画方法において、前記マスタ機器以外で行われる所定の動作によって、前記宅内ネットワーク内の伝送帯域が不足する場合には、前記マスタ機器以外に設定された録画予約を前記マスタ機器で代理実行させるステップをコンピュータに実行させるためのプログラム。
【発明の詳細な説明】
【技術分野】
【０００１】
本発明は、従来の無線電波によるテレビ放送ではなく、有線通信を用いたＩＰテレビ放送を受信している家庭における宅内ネットワークの利用状況に応じたＩＰテレビ放送の録画方法に関するものである。
【背景技術】
【０００２】
現在、地上波テレビ放送が２０１１年のアナログ放送停波を控えており、アナログ放送からデジタル放送への移行の過渡期となっている。テレビ放送の公共性の観点から、アナログ放送を受信している全家庭でデジタル放送を受信出来ることが求められるが、山間部や過疎地では地上デジタル放送の受信が困難な地域が出てくることが予想される。全ての家庭にあまねく放送を行うことが出来なくなることは、放送の公共性から問題となる。そのため、インターネット通信回線を利用してテレビ放送を行うＩＰ（Ｉｎｔｅｒｎｅｔ  Ｐｒｏｔｏｃｏｌ）テレビ放送(以下、ＩＰ放送)が検討されている。また、ＩＰ放送だけでなく、既にストリーミング動画を提供するサービスが増加しており、インターネット通信回線を利用した映像受信は可能となっている。
【０００３】
一方、宅内では、インターネット通信回線で家庭内へ引き込んだＩＰ放送データを、宅内ＬＡＮを使用して各部屋の受信装置へ配信する。また、家庭用の放送録画機器では、ＨＤＤ（Ｈａｒｄ  Ｄｉｓｃ  Ｄｒｉｖｅ）を内蔵した機器が大半を占めるようになってきている。ここで、複数番組を録画する際に録画設定を行った機器のＴＶチューナ数が録画設定コンテンツ数より少ない場合、録画出来ないコンテンツが発生する課題がある。
【０００４】
この課題に対応する録画機器の技術として、宅内ＬＡＮで接続された録画機器のうち、未使用ＴＶチューナのある機器に代理で録画させる技術が提供されている。
【特許文献１】特開２００５−２５２４０２号公報
【発明の開示】
【発明が解決しようとする課題】
【０００５】
しかしながら、従来の技術は通常の無線電波によるテレビ放送を想定した技術で、ＴＶチューナ数が足りない場合に他の録画機器に代理で録画させるものである。ＩＰ放送の受信環境下では、宅内ＬＡＮを用いて各機器にＩＰ放送データを伝送するため、宅内ＬＡＮの空き伝送帯域が不足した場合にＩＰ放送を録画することが出来なくなるという課題がある。
【０００６】
宅内ＬＡＮでは、ＩＰ放送の視聴、ＩＰ放送の録画、ＶＯＤ（Ｖｉｄｅｏ  ｏｎ  Ｄｅｍａｎｄ）、ＰＣデータ通信など、様々なデータが伝送される。そのため、複数のサービスを同時に利用している場合は、宅内ＬＡＮの利用状況によって伝送帯域が足りなくなることがある。「ＩＰ放送視聴」、「ＩＰ放送録画」、「ＶＯＤ」は、「ＰＣデータ通信」と比較して優先度を高く設定され、優先的に宅内ＬＡＮの伝送帯域を使用するべきであると考えられる。しかしながら、テレビ放送をＩＰ放送で受信している場合、多数のＨＤ（Ｈｉｇｈ  Ｄｉｆｉｎｉｔｉｏｎ）品質の映像を伝送し、伝送帯域が枯渇する恐れがある。
【０００７】
本発明は、上記課題を解決し、ＩＰ放送の受信環境下において、宅内ＬＡＮの空き伝送帯域が足りない場合に録画可能な機器で代理録画を行うことを目的とする。
【課題を解決するための手段】
【０００８】
従来の課題を解決するために、本発明では、宅内ＬＡＮの空き伝送帯域が足りない場合、録画設定をした機器ではなく、宅内ＬＡＮの伝送帯域に負担をかけない録画機器が代理で録画を行うことにより、宅内ＬＡＮの利用状況に応じたＩＰ放送録画を可能とする。
【発明の効果】
【０００９】
本発明によれば、リアルタイム性の高い「ＩＰ放送視聴」、「ＶＯＤ」等を優先して伝送し、「ＩＰ放送録画」を宅内ＬＡＮの伝送帯域を消費しない機器で録画することで宅内ＬＡＮの伝送帯域を最適に割り当てることが可能となる。
【発明を実施するための最良の形態】
【００１０】
本発明では、リアルタイム性の高い「ＩＰ放送視聴」、「ＶＯＤ」などで宅内ＬＡＮの伝送帯域を優先的に使用するように「ＩＰ放送録画」を設定する。「ＩＰ放送録画」は、通常、録画終了後に視聴を開始することから、「ＩＰ放送視聴」、「ＶＯＤ」と比較するとリアルタイム性が低い。そのため、宅内ＬＡＮの伝送帯域が不足した場合、録画予約設定した機器ではなく、宅内ＬＡＮの伝送帯域を消費しない環境に設置されている録画機器、すなわち、インターネット通信回線に直結されている機器で代理録画を行うこととする。
【００１１】
以下に、本発明の実施の形態について、図面を参照しながら説明する。
【００１２】
（実施の形態１)
図１は、本発明の宅内ＬＡＮの一構成例を示した図である。
【００１３】
図１において、ハードディスクレコーダ５、ハードディスクレコーダ６、ＳＴＢ（Ｓｅｔ  Ｔｏｐ  Ｂｏｘ）７、ＩＰＴＶ（Ｉｎｔｅｒｎｅｔ  Ｐｒｏｔｏｃｏｌ  Ｔｅｌｅｖｉｓｉｏｎ）８、ＩＰＴＶ９、ＩＰＴＶ１０が宅内ネットワークである宅内ＬＡＮ４を介して接続されている。ＩＰネットワーク、放送網などの宅外ネットワーク２に接続されているルータ３にはハードディスクレコーダ５のみが接続され、本構成におけるマスタ機器として動作する。他の宅外ネットワーク２に接続されている機器はＩＰ放送の視聴等を行う際には、ハードディスクレコーダ５を必ず経由する。また、宅外ネットワーク２には、ＶＯＤサーバ１が接続されている。
【００１４】
図１において、ハードディスクレコーダ５は本発明におけるマスタ機器となる宅内受信装置、ハードディスクレコーダ６、ＳＴＢ７、ＩＰＴＶ８、ＩＰＴＶ９、ＩＰＴＶ１０はマスタ機器以外の宅内受信装置である。
【００１５】
なお、本実施の形態では、宅内ＬＡＮに２台のハードディスクレコーダ、１台のＳＴＢ、３台のＩＰＴＶが接続されているが、宅内のシステム構成はこれに限定するものではなく、宅内ＬＡＮに接続でき、データの録画及び視聴ができる機器で構成されていればよい。
【００１６】
図２は、マスタ機器となる宅内受信装置であるハードディスクレコーダ５の一構成例を示すブロック図である。
【００１７】
図２に示すように、ＷＡＮ  Ｉ／Ｆ２９は、宅外ネットワーク２に接続され、宅外ネットワーク２よりＩＰ放送の放送番組データを受信し、ＬＡＮ  Ｉ／Ｆ２３は、宅内ＬＡＮ４に接続され、宅内ＬＡＮ４に接続されている他の機器間と放送番組データや通信データを送受信し、ＩＰ放送受信ユニット２４は、ＷＡＮ  Ｉ／Ｆ２９を介してＩＰ放送番組データを受信し、所定の処理を行い映像出力データを出力する。また、宅内ＬＡＮ利用状況管理部２５は、ＬＡＮ  Ｉ／Ｆ２３を介して宅内ＬＡＮ４の利用状況を管理し、視聴・録画予約管理部２６は、ハードディスクレコーダ５及び宅内ＬＡＮ４に接続されている機器へ行われる視聴、録画予約を管理し、録画機器デコーダ数管理部２７は、宅内ＬＡＮ４に接続されている録画機器デコーダ数を管理する。また、ＩＰ放送受信ユニット２４から出力されたデータは、ハードディスクレコーダ５に接続されている記録装置２８に出力され、記録装置２８に記録される。
【００１８】
図３は、マスタ機器以外の宅内受信装置となるハードディスクレコーダ６、ＳＴＢ７の一構成例を示すブロック図である。
【００１９】
図３において、図２と同様の動きを行う構成要素に関しては、同じ番号を付与し、説明を省略する。図３の宅内受信装置と図２の宅内受信装置の相違点は、ＷＡＮ  Ｉ／Ｆ２９の有無である。マスタ機器以外は、宅外ネットワーク２には接続されないため、ＷＡＮ  Ｉ／Ｆ２９は必要ない。
【００２０】
なお、本発明においては、マスタ機器とマスタ機器以外の機器は異なる構成となっているが、マスタ機器以外の機器も図２のマスタ機器と同じ構成でも構わない。
【００２１】
図４は、ＩＰＴＶ８〜ＩＰＴＶ１０のマスタ機器以外の宅内受信装置の他の一構成例を示すブロック図である。ＩＰＴＶは、図３の宅内受信装置の構成とほぼ同様の構成であり、ＩＰ放送受信ユニット２４から出力された映像出力データを表示する表示装置３０を装置内に持つ構成となる。各構成要素は、図３の構成要素と同様の動作を行うので、同じ番号を付与し、説明を省略する。なお、表示装置３０は、宅内受信装置外にあり、宅内受信装置のＩＰ放送受信ユニット２４から有線または無線通信によりデータを受信して表示してもよい。
【００２２】
図５は、視聴・録画予約管理部２６が管理する視聴・録画予約状況管理テーブルの一例を示したものである。図５に示すように、視聴・録画予約状況管理テーブルは、「予約番号」、録画または視聴するデータの種別を示す「種別」、実際に録画または視聴を行う機器を一意に示す「対象機器」、録画または視聴するデータの伝送レートを示す「伝送レート」、録画または視聴する日時を示す「日時」、録画または視聴開始時刻を示す「開始時刻」、録画または視聴終了時刻を示す「終了時刻」で構成されている。
【００２３】
なお、図５においては、データの種別として、ＩＰ放送を録画する「ＩＰ放送録画」、ＩＰ放送を視聴する「ＩＰ放送視聴」、ＶＯＤを示す「ＶＯＤ」が設定されているが、種別はこの３つに限定するものではない。また、種別、対象機器等の登録項目は、図５に示す項目以外のものを登録しても構わない。また、種別、対象機器などの表現方法は、それを一意に示すことができれば、番号や記号など、どのような表現でも構わない。
【００２４】
視聴・録画予約状況管理テーブルは、視聴予約時、あるいは、録画予約時に予約操作が行われた機器が宅内ＬＡＮに接続された全機器へ予約要求を送信することで全機器がテーブルの内容を更新するものとする。ここで、予約要求時に電源がＯＦＦにされていた機器は、電源ＯＮ時にマスタ機器となるルータ３に接続されているハードディスクレコーダ５に予約状況要求を送信して問い合わせる。なお、予約状況の問い合わせは、他のいずれかの機器に問い合わせることとしてもよい。また、本発明では、全機器が視聴・録画予約状況管理テーブルを保持するものとしたが、マスタ機器のみが保持し、他の機器はマスタ機器に問い合わせるようにしてもよい。
【００２５】
図６は、録画機器デコーダ数管理部２７が保持する録画機器デコーダ数管理テーブルの一例を示したものである。図６に示すように、録画機器デコーダ数管理テーブルは、録画機器を一意に示す「録画機器」と、録画機器が保持しているデコーダ数を示す「デコーダ数」で構成されている。
【００２６】
なお、図６において、録画機器デコーダ数管理テーブルには、録画機器、デコーダ数以外のものを登録しても構わない。また、録画機器の表現方法は、それを一意に示すことができれば、番号や記号など、どのような表現でも構わない。
【００２７】
録画機器デコーダ数管理テーブルは、各録画機器が電源ＯＮされた際に自機器のデコーダ数を全機器に通知することで作成される。なお、本発明では全機器が録画機器デコーダ数管理テーブルを保持するものとしたが、マスタ機器であるハードディスクレコーダ５のみが保持し、他の機器がマスタ機器に問い合わせるようにしてもよい。
【００２８】
図７は、宅内ＬＡＮ利用状況管理部２５が保持する宅内ＬＡＮ利用状況管理テーブルの一例を示したものである。図７に示すように、宅内ＬＡＮ利用状況管理テーブルには、宅内ＬＡＮの利用状況の調査を行った「現在時刻」、利用状況を調べたい期間の開始時刻を示す「調査開始時刻」、終了時刻を示す「調査終了時刻」、宅内ＬＡＮの伝送帯域を示す「宅内ＬＡＮ伝送帯域」、宅内ＬＡＮの空き伝送帯域を示す「空き伝送帯域」、代理で録画を行える機器の空きデコーダの総数を示す「代理録画機器の空きデコーダ数」で構成されている。なお、宅内ＬＡＮ利用状況管理テーブルには、図７に示す項目以外の項目が登録されていてもよい。
【００２９】
宅内ＬＡＮ利用状況管理部２５は、宅内ＬＡＮ利用状況管理テーブルに設定されている調査開始時刻から調査終了時刻までに、視聴・録画予約管理部２６が保持する図５に示す視聴・録画予約状況管理テーブルと、録画機器デコーダ数管理部２７が保持する図６に示す録画機器デコーダ数管理テーブルを参照し、宅内ＬＡＮ伝送帯域の空き伝送帯域、及び、代理録画機器の空きデコーダ数を算出し、宅内ＬＡＮ利用状況管理テーブルの空き伝送帯域、空きデコーダ数を更新する。
【００３０】
なお、本発明では、全機器が宅内ＬＡＮ利用状況管理テーブルを保持するものとしたが、マスタ機器であるハードディスクレコーダ５のみが保持し、他の機器がマスタ機器に問い合わせてもよい。
【００３１】
〔代理録画操作〕
本実施の形態では、ハードディスクレコーダ６において録画予約が行われた場合を例として、録画予約が行われた場合の本発明の動作シーケンスを説明する。
【００３２】
図８は、録画予約設定時の動作を示すフローチャートである。
【００３３】
ユーザより録画予約操作が行われると、視聴・録画予約管理部２６は宅内ＬＡＮ利用状況管理部２５に操作が行われた録画予約を受付可能であるかを問い合わせ、宅内ＬＡＮ利用状況管理部２５は、以下の動作を行う。
【００３４】
（ステップＳ８０１）宅内ＬＡＮ利用状況管理部２５は、宅内ＬＡＮの利用状況を調べ、ステップＳ８０２へ進む。
【００３５】
（ステップＳ８０２）宅内ＬＡＮ利用状況管理部２５は、録画予約された時間帯（当該時間）における宅内ＬＡＮの空き伝送帯域が録画予約するコンテンツの伝送レートより小さいかどうかを調べ、小さい場合はステップＳ８０３、同等、または大きい場合は、ステップＳ８０７へ進む。
【００３６】
（ステップＳ８０３）宅内ＬＡＮ利用状況管理部２５は、宅内ＬＡＮの伝送帯域を消費しない録画機器があるかどうかを調べ、ある場合はステップＳ８０４、ない場合はステップＳ８０６へ進む。
【００３７】
（ステップＳ８０４）宅内ＬＡＮ利用状況管理部２５は、当該時間にステップＳ８０３で抽出された録画機器に録画予約されていない空きデコーダがあるかどうかを調べ、ある場合はステップＳ８０５、ない場合はステップＳ８０６へ進む。
【００３８】
（ステップＳ８０５）宅内ＬＡＮ利用状況管理部２５は、視聴・録画予約管理部２６に録画予約をステップＳ８０４で調べた録画機器へ予約を変更することを通知し、処理を終了する。
【００３９】
（ステップＳ８０６）宅内ＬＡＮ利用状況管理部２５は、録画予約不可であることを視聴・録画予約管理部２６に通知する。
【００４０】
（ステップＳ８０７）宅内ＬＡＮ利用状況管理部２５は、録画予約可能であることを視聴・録画予約管理部２６に通知する。
【００４１】
視聴・録画予約管理部２６は、宅内ＬＡＮ利用状況管理部２５からの予約変更通知を受けた場合は、予約録画を宅内ＬＡＮの伝送帯域を消費しない録画機器へ設定変更するよう動作し、予約ができない通知を受けた場合は、録画予約が不可能であることをユーザに通知し、予約可能通知を受けた場合は、視聴・録画予約状況管理テーブルへ予約された内容をそのまま登録する。なお、ユーザへの通知方法はどんな方法でも構わない。また、ユーザからの録画予約内容の視聴・録画予約管理部２６への通知もどんな方法、構成をとっても構わない。
【００４２】
以下、具体的に上記動作を説明する。
【００４３】
本実施の形態では、宅内ＬＡＮ４に接続されている各機器の視聴、録画予約状況が図５に示す視聴・録画予約状況管理テーブル、各機器のデコーダ数が図６の録画機器デコーダ数管理テーブルに示す状況にある場合に、ユーザが８月３１日の１９時１７分にハードディスクレコーダ６に対して、８月３１日の２０時〜２１時に、伝送レート２５ＭｂｐｓのＩＰ放送の録画予約操作を行った場合を考える。また、本発明においては、宅内ＬＡＮの伝送帯域は１００Ｍｂｐｓとする。
【００４４】
まず、ハードディスクレコーダ６において、ユーザから録画予約操作が行われると、ハードディスクレコーダ内の視聴・録画予約管理部２６は予約された内容が受付可能であるかどうか宅内ＬＡＮ利用状況管理部２５へ問い合わせる。
【００４５】
宅内ＬＡＮ利用状況管理部２５は、視聴・録画予約管理部２６、録画機器デコーダ数管理部２７に問い合わせて、図５に示す視聴・録画予約状況管理テーブルと図６に示す録画機器デコーダ数管理テーブルを参照し、宅内ＬＡＮ４内の利用状況を調べ、図７に示す宅内ＬＡＮ利用状況管理テーブルを作成する。
【００４６】
図７に示すように、本実施の形態においては、現在時刻は８月３１日の１９：１７であり、録画予約は２０時〜２１時であるので、調査開始時刻は８月３１日２０：００、調査終了時刻は２１：００となる。また、図５において、８月３１日の２０：００〜２１：００に予約が入っているのは、予約番号１、３、４、５、６である。宅内ＬＡＮ４の伝送帯域が１００Ｍｂｐｓ、予約番号５はハードディスクレコーダ５に対する予約であり、宅内ＬＡＮ４を使用しないので、予約番号１、３、４、６はそれぞれ２５Ｍｂｐｓの帯域を使用している。この場合の宅内ＬＡＮ４内の、空き伝送帯域は、１００Ｍｂｐｓ−（２５Ｍｂｐｓ×４）より、０Ｍｂｐｓとなる。また、本実施の形態では、代理録画可能な機器は、ハードディスクレコーダ５のみである。図６よりハードディスクレコーダ５のデコーダ数は２であり、既に予約番号５で１つのデコーダは予約されているため、代理録画機器の空きデコーダ数は１となる。
【００４７】
次に、宅内ＬＡＮ利用状況管理部２５は、作成した宅内ＬＡＮ利用状況管理テーブルを参照し、宅内ＬＡＮの空き伝送帯域が録画予約するコンテンツの伝送レートより小さいかどうかを調べる。本実施の形態の場合、図７に示すように、８月３１日２０時〜２１時の間は、空き伝送帯域が０Ｍｂｐｓであるため、宅内ＬＡＮ利用状況管理部２５は、ＬＡＮ  Ｉ／Ｆ２３を介して、宅内ＬＡＮ４に接続している各機器に、宅外ネットワーク２に接続しているかどうかを問い合わせる。本実施の形態の場合は、ハードディスクレコーダ５だけが、宅外ネットワーク２に接続していると応答する。
【００４８】
次に、宅内ＬＡＮ利用状況管理部２５は、図７の宅内ＬＡＮ利用状況管理テーブルを参照して、ハードディスクレコーダ５の空きチューナ数が１であることから、空きでデコーダがあると判断し、図５に示す視聴・録画予約状況管理テーブルを参照して、８月３１日２０時〜２１時の間は、ハードディスクレコーダ５に空きデコーダが１つあることを確認する。その後、宅内ＬＡＮ利用状況管理部２５は、視聴・録画予約管理部２６に新規のＩＰ放送録画予約をハードディスクレコーダ５に予約変更することを通知する。
【００４９】
ハードディスクレコーダ６内の視聴・録画予約管理部２６は、宅内ＬＡＮ利用状況管理部２５、ＬＡＮ  Ｉ／Ｆ２３、宅内ＬＡＮ４を介して、ハードディスクレコーダ５に録画予約に必要な情報を送信する。なお、録画に必要な情報は、ハードディスクレコーダ５のみに送信してもよいし、宅内ＬＡＮ４に接続されている機器全体に送信してもよい。
【００５０】
ハードディスクレコーダ５内の視聴・録画予約管理部２６は、宅内ＬＡＮ４、ＬＡＮ  Ｉ／Ｆ２３、宅内ＬＡＮ利用状況管理部２５を介して、８月３１日２０時〜２１時の録画予約依頼を受信し、録画予約が正常に完了すると、自身の視聴・録画予約状況管理テーブルを更新すると共に、宅内ＬＡＮ利用状況管理部２５、ＬＡＮ  Ｉ／Ｆ２３、宅内ＬＡＮ４を介して、宅内ＬＡＮ４に接続している各機器に、８月３１日２０時〜２１時に録画予約が完了したことを通知する。
【００５１】
ハードディスクレコーダ６内の視聴・録画予約管理部２６は、ＬＡＮ  Ｉ／Ｆ４、宅内ＬＡＮ利用状況管理部２５を介して、ハードディスクレコーダ５からの予約完了通知を受けると、視聴・録画予約状況管理テーブルを更新する。また、宅内ＬＡＮ４に接続されている各機器内でも同様の動作が行われる。この結果、宅内ＬＡＮの空き伝送帯域が無い場合でも、ＩＰ放送録画予約が可能となる。
【００５２】
図９に各機器において更新された視聴・録画予約状況管理テーブルを示す。図９は、図５における予約番号６と予約番号７の間に、ＩＰ放送録画がハードディスクレコーダ５に、２５Ｍｂｐｓの番組データが８月３１日２０時〜２１時に予約する予約状況が挿入され、予約番号が更新されていることを示す。
【００５３】
〔代理設定された録画予約の動作〕
以下、代理設定された録画予約が実行される場合の視聴・録画予約管理部２６の動作について説明する。
【００５４】
図１０はハードディスクレコーダ５における録画予約の代理設定時の動作を示すフローチャートである。
【００５５】
（ステップＳ１００１）視聴・録画予約管理部２６は、宅内ＬＡＮ内の本来録画予約を行った録画機器からの依頼を受け、代理録画が設定し、ステップＳ１００２に進む。
【００５６】
（ステップＳ１００２）視聴・録画予約管理部２６は、宅内ＬＡＮ利用状況管理部２５に宅内ＬＡＮ４の空き伝送帯域を問い合わせ、空き伝送帯域が代理録画設定されている伝送レートより小さいかどうかを調べる。小さい場合はステップＳ１００３、同等もしくは大きい場合はステップＳ１００４へ進む。
【００５７】
（ステップＳ１００３）視聴・録画予約管理部２６は、録画予約開始時間かどうかを判断し、開始時間であればステップＳ１００５へ進み、開始時間でなければ、ステップＳ１００６へ進む。
【００５８】
（ステップＳ１００４）視聴・録画予約管理部２６は、宅内ＬＡＮ利用状況管理部２５、ＬＡＮ  Ｉ／Ｆ２３、宅内ＬＡＮ４を介して、本来録画予約を行った録画機器へ録画予約設定を戻し、処理を終了する。
【００５９】
（ステップＳ１００５）視聴・録画予約管理部２６は、代理録画を開始する。
【００６０】
（ステップＳ１００６）視聴・録画予約管理部２６は、ｔ（＞０）時間経過するまでウェイトし、ステップＳ１００２に戻る。なお、ウェイト時間ｔはあらかじめユーザが設定していてもよい。
【００６１】
視聴・録画予約管理部２６は、代理録画を行った場合は、宅内ＬＡＮ４の空き帯域が、本来録画設定した機器（本実施の形態の場合、ハードディスクレコーダ６）へ録画したコンテンツの伝送するための伝送レートより大きくなった時点で、録画したコンテンツを本来録画設定した機器へ移動させる（ムーブ、以降、ムーブと記載）。なお、本来録画設定した機器へのコンテンツのムーブは、宅内ＬＡＮ４において、伝送帯域の使用率が低い時間帯にムーブする設定とする、あるいは、ムーブしない設定としてもよい。
【００６２】
なお、代理録画を行う機器の代理録画を依頼した機器の管理は、視聴・録画予約状況管理テーブルを用いたり、別途代理録画管理テーブルなどを用いたりして管理すればよい。例えば、視聴・録画予約状況管理テーブルに、代理録画の項目を設け、その項目に依頼先機器を一意に判別できる記号等を記載する。
【００６３】
以上の動作により、本実施の形態によれば、宅内ＬＡＮの空き伝送帯域が足りない場合に、宅内ＬＡＮの伝送帯域を消費しない録画機器で代理録画を行うことが出来、宅内ＬＡＮの伝送帯域を効率的に使用することが可能となる。
【００６４】
（実施の形態２）
本実施の形態では、録画予約または、録画予約が実行されることにより、宅内ＬＡＮの伝送帯域が使用伝送レートが超えてしまう場合の動作について説明する。本実施の形態におけるシステム構成、各機器の構成は、実施の形態１と同様とする。
【００６５】
図１１はハードディスクレコーダ５における予約録画開始時の動作を示すフローチャートを示したものである。
【００６６】
（ステップＳ１１０１）視聴・録画予約管理部２６は、視聴・録画予約状況管理テーブルにおける予約内容を常に監視し、予約録画または予約視聴の予約開始時間の一定時間前になった予約を検知するとステップＳ１１０２に進む。ここで、一定時間とは代理録画の設定が機器動作として可能な時間を確保するためのもので、例えば、予約開始の１０秒前などと、あらかじめ設定しておく。
【００６７】
（ステップＳ１１０２）視聴・録画予約管理部２６は、宅内ＬＡＮ利用状況管理部２５に該当する予約を実行する時間における宅内ＬＡＮの利用状況を問い合わせる。宅内ＬＡＮ利用状況管理部２５は、問い合わせを受けた時間帯の宅内ＬＡＮの空き伝送帯域が、予約実行する際に使用する伝送レートより小さいかどうかを調べ、小さい場合はステップＳ１１０３に進み、同等、もしくは大きい場合は、処理を終了する。
【００６８】
（ステップＳ１１０３）視聴・録画予約管理部２６は、視聴・録画予約状況管理テーブルを参照し、予約開始しようとしている予約を実行する時間において、予約録画があるかないかを調べ、予約録画がある場合はステップＳ１１０４へ進み、ない場合は、ステップＳ１１０７へ進む。
【００６９】
（ステップＳ１１０４）宅内ＬＡＮ利用状況管理部２５は、問い合わせを受けた時間帯に、宅内ＬＡＮの伝送帯域を消費しない録画機器があるかどうかを調べ、ある場合はステップＳ１１０５へ進み、ない場合はステップＳ１１０７へ進む。
【００７０】
（ステップＳ１１０５）宅内ＬＡＮ利用状況管理部２５は、ステップＳ１１０３で検索した録画機器に空きデコーダがあるかどうかを調べ、ある場合はステップＳ１１０６へ進み、ない場合はステップＳ１１０７へ進む。
【００７１】
（ステップＳ１１０６）宅内ＬＡＮ利用状況管理部２５は、視聴・録画予約管理部２６に問い合わせた予約録画を、検索した録画機器へ設定変更するよう通知し、視聴・録画予約管理部２６は、予約録画を変更する。予約録画の変更方法は実施の形態１で説明した方法と同様である。
【００７２】
（ステップＳ１１０７）宅内ＬＡＮ利用状況管理部２５は、視聴・録画予約管理部２６に予約を解除するよう通知する。視聴・録画予約管理部２６は、あらかじめ定められた手順に沿って、必要な予約の解除を行う。
【００７３】
以下、具体的に上記動作を説明する。
【００７４】
図１２は本実施の形態における視聴・録画予約状況管理テーブルの一例を示したものである。図１２において、予約番号３は、８月３１日に１９：００〜２０：００の間、ＩＰＴＶ８で２５ＭｂｐｓのＩＰ放送を視聴する予約である。ここで、ユーザから２０時以降もＩＰＴＶ８において、視聴を続ける延長操作を受けた場合の動作について説明する。
【００７５】
視聴・録画予約管理部２６は、図１２の視聴・録画予約状況管理テーブルにおける予約内容を常に監視し、予約番号７の録画開始時間の一定時間前になったことを検知する。視聴・録画予約管理部２６は、宅内ＬＡＮ利用状況管理部２５に２０：００で終了予定のＩＰ放送視聴が続行される場合の宅内ＬＡＮ４の利用状況を問い合わせる。
【００７６】
宅内ＬＡＮ利用状況管理部２５は視聴・録画予約管理部２６、録画機器デコーダ数管理部２７に問い合わせて、視聴・録画予約状況管理テーブルと録画機器デコーダ数管理テーブルを参照し、予約番号７の予約時間日時、８月３１日の２０：００から２１：００間の宅内ＬＡＮ利用状況管理テーブルを作成する。図７に、この場合の宅内ＬＡＮ利用状況管理テーブルを示す。本実施の形態においても、宅内ＬＡＮ４の伝送帯域は１００Ｍｂｐｓとする。
【００７７】
図１２において、予約番号３のＩＰ放送視聴が２０：００以降も続行された場合、２０：００以降は、予約番号１、２、３、４、７の予約が同時に実行されることになる。各予約は、各々２５Ｍｂｐｓの帯域を利用することから、２５Ｍｂｐｓ×５＝１２５Ｍｂｐｓと、宅内ＬＡＮ４の宅内ＬＡＮ伝送帯域１００Ｍｂｐｓを超えてしまう。従って、この場合の、宅内ＬＡＮ利用状況管理テーブルは、図７に示すように、宅内ＬＡＮ４の空き伝送帯域が０Ｍｂｐｓとなる。
【００７８】
宅内ＬＡＮ利用状況管理部２５は、図７に示す宅内ＬＡＮ利用状況管理テーブルを参照し、宅内ＬＡＮ空き伝送帯域を使用伝送レートが超えたことから、予約番号３の予約時間帯に予約録画があるかどうかを調べる。宅内ＬＡＮ利用状況管理部２５は、引き続き、宅内ＬＡＮ４の伝送帯域を消費しない録画機器があるかどうかを調査する。宅内ＬＡＮ利用状況管理部２５は、ＬＡＮ  Ｉ／Ｆ２３を介して、宅内ＬＡＮ４に接続している各機器に、宅外ネットワーク２に接続しているかどうかを問い合わせる。本実施の形態の場合は、ハードディスクレコーダ５だけが、宅外ネットワーク２に接続していると応答する。
【００７９】
次に、宅内ＬＡＮ利用状況管理部２５は、ハードディスクレコーダ５に当該時間に空きデコーダがあるかどうかを調べる。本実施の形態の場合は、図６の録画機器デコーダ数管理テーブル、図１２の視聴・録画予約状況管理テーブルより、ハードディスクレコーダ５のデコーダ数が２であり、ハードディスクレコーダには、既に予約番号５，６が予約されていることから、ハードディスクレコーダ５に空きデコーダが無いため、代理録画の設定はできないと判断する。
【００８０】
宅内ＬＡＮ利用状況管理部２５は、視聴・録画予約管理部２６に問い合わせ、予約番号７の予約録画が実行できないことを通知する。本実施の形態の場合、視聴・録画予約管理部２６は、ユーザに、予約番号７の予約があるため、視聴予約の延長ができないことを通知する。ユーザは、予約番号７の録画予約を解除するか、予約番号３のＩＰ放送視聴を予約通り２０：００で終了させるかを選択し、実行する。
【００８１】
なお、本実施の形態では、予約の解除は、ユーザにエラー通知を行い、ユーザに解除操作を行わせたが、ユーザに通知せずに、自動的に予約の解除を行ってもよい。予約の解除の優先順位は、ユーザが任意に設定できるようにしてもよい。また、ＩＰ放送視聴、ＩＰ放送録画予約に関わらず、最後に設定された操作を優先して解除するように設定してもよい。
【００８２】
（実施の形態３）
本実施の形態では、ＩＰ放送の視聴操作時の動作シーケンスについて説明する。本実施の形態におけるシステム構成図、及び各機器の構成図は実施の形態１と同様である。
【００８３】
図１３は、図１のＩＰＴＶ８におけるＩＰ放送視聴開始時の動作を示すフローチャートである。
【００８４】
（ステップＳ１３０１）視聴・録画予約管理部２６は、ユーザよりＩＰ放送の視聴操作が行われたことを検知すると、ステップＳ１３０２に進む。
【００８５】
（ステップＳ１３０２）視聴・録画予約管理部２６は、宅内ＬＡＮ利用状況管理部２５に、視聴前の宅内ＬＡＮ４の利用状況を問い合わせる。宅内ＬＡＮ利用状況管理部２５は、宅内ＬＡＮ４内の利用状況を調べ、空き伝送帯域が視聴するコンテンツの伝送レートより小さければステップＳ１３０３へ進み、同等、もしくは大きければ、ステップＳ１３０８へ進む。
【００８６】
（ステップＳ１３０３）視聴・録画予約管理部２６は、現在、宅内ＬＡＮを使用して予約録画をしている機器があるかどうかを調査し、あればステップＳ１３０４へ進み、なければステップＳ１３０６へ進む。
【００８７】
（ステップＳ１３０４）視聴・録画予約管理部２６は、宅内ＬＡＮの伝送帯域を消費しない録画機器があるかどうかを調査し、録画機器がある場合は、ステップＳ１３０５へ進み、ない場合はステップＳ１３０６へ進む。
【００８８】
（ステップＳ１３０５）視聴・録画予約管理部２６は、宅内ＬＡＮの伝送帯域を消費しない録画機器に、現在、空きデコーダがあるかどうかを調査し、ある場合はステップＳ１３０７へ進み、ない場合はステップＳ１３０６へ進む。
【００８９】
（ステップＳ１３０６）視聴・録画予約管理部２６は、ＩＰ放送視聴を不可とし、視聴操作を行わない。
【００９０】
（ステップＳ１３０７）視聴・録画予約管理部２６は、予約録画を宅内ＬＡＮ４の伝送帯域を消費しない録画機器へ代理録画の設定を行い、ステップＳ１３０８に進む。
【００９１】
（ステップＳ１３０８）視聴・録画予約管理部２６は、予約内容に応じて、ＩＰ放送視聴を開始する。
【００９２】
以下、上記動作を具体的に説明する。
【００９３】
各機器の視聴・録画予約管理部２６が図５に示す視聴・録画予約状況管理テーブル、録画機器デコーダ数管理部が図６に示す録画機器デコーダ数管理テーブルをそれぞれ保持しているとする。この状況において、ＩＰＴＶ８で、８月３１日の２０時前にＩＰ放送視聴操作が行われた場合を一例として説明する。
【００９４】
まず、ＩＰＴＶ８の視聴・録画予約管理部２６は、ユーザがＩＰ放送視聴操作を行ったことを検知し、図５の視聴・録画予約状況管理テーブルを参照し、８月３１日の２０：００以降の宅内ＬＡＮの利用状況を宅内ＬＡＮ利用状況管理部２５に問い合わせる。宅内ＬＡＮ利用状況管理部２５は視聴・録画予約管理部２６、録画機器デコーダ数管理部２７に問い合わせて、図５の視聴・録画予約状況管理テーブルと図６の録画機器デコーダ数管理テーブルを参照し、図７に示した宅内ＬＡＮ利用状況管理テーブルを作成する。本実施の形態においては、作成済みの宅内ＬＡＮ利用状況管理テーブルを参照し、８月３１日の２０：００以降に宅内ＬＡＮの空き伝送帯域が０Ｍｂｐｓになることを検知する。
【００９５】
次に、宅内ＬＡＮ利用状況管理部２５は、視聴・録画予約状況管理テーブルを参照して、２０時以降に、宅内ＬＡＮ４を使用して予約録画をしている機器がないかを調べる。この場合、予約番号１、６が相当する。さらに、宅内ＬＡＮ利用状況管理部２５は、実施の形態１と同様の動作を行い、宅内ＬＡＮ４の伝送帯域を消費しないハードディスクレコーダ５に空きデコーダが１つあることを検知し、視聴・録画予約管理部２６に、これから予約が実行される予約番号６の予約をハードディスクレコーダ５に変更するよう通知する。
【００９６】
ＩＰＴＶ８内の視聴・録画予約管理部２６は、宅内ＬＡＮ利用状況管理部２５、ＬＡＮ  Ｉ／Ｆ２３、宅内ＬＡＮ４を介して、全機器に録画予約に必要な情報を送信する。変更要求を受信したハードディスクレコーダ５内の視聴・録画予約管理部２６は、宅内ＬＡＮ４、ＬＡＮ  Ｉ／Ｆ２３、宅内ＬＡＮ利用状況管理部２５を介して、８月３１日２０時〜２１時の録画予約依頼を受信し、録画予約が正常に完了すると、自身の視聴・録画予約状況管理テーブルを更新すると共に、宅内ＬＡＮ利用状況管理部２５、ＬＡＮ  Ｉ／Ｆ２３、宅内ＬＡＮ４を介して、宅内ＬＡＮ４に接続している各機器に、予約番号６の予約をＩＰＴＶ８からハードディスクレコーダ５に変更したことを通知する。ＩＰＴＶ８内の視聴・録画予約管理部２６は、ハードディスクレコーダ５からの完了通知を受け、予約内容を変更する。
【００９７】
なお、変更要求は、マスタ機器のみに送信し、マスタ機器が予約していた録画機器に予約設定変更を通知してもよい。
【００９８】
また、ＶＯＤを視聴する際の動作シーケンスについては、ＩＰ放送を視聴する際の動作シーケンスと同様であるため、説明を省略する。
【００９９】
（実施の形態４）
本実施の形態では、視聴予約設定時の動作シーケンスについて具体的に説明する。
【０１００】
図１４は、図１のシステム構成において、ＩＰＴＶ８における視聴予約設定時の動作を示すフローチャートである。
【０１０１】
（ステップＳ１４０１）視聴・録画予約管理部２６は、ユーザより視聴予約が行われると、ステップＳ１４０２に進む。
【０１０２】
（ステップＳ１４０２）視聴・録画予約管理部２６は、宅内ＬＡＮ利用状況管理部２５に、視聴予約の時間内の宅内ＬＡＮ４の利用状況を問い合わせる。宅内ＬＡＮ利用状況管理部２５は、宅内ＬＡＮ４内の利用状況を調べ、空き伝送帯域が視聴するコンテンツの伝送レートより小さければステップＳ１４０３へ進み、同等、もしくは大きければ、ステップＳ１４０８へ進む。
【０１０３】
（ステップＳ１４０３）視聴・録画予約管理部２６は、視聴・録画予約状況管理テーブルを参照し、予約開始しようとしている予約を実行する時間において、予約録画があるかないかを調べ、予約録画がある場合はステップＳ１４０４へ進み、ない場合は、ステップＳ１４０６へ進む。
【０１０４】
（ステップＳ１４０４）視聴・録画予約管理部２６は、宅内ＬＡＮの伝送帯域を消費しない録画機器があるかどうかを調査し、録画機器がある場合は、ステップＳ１４０５へ進み、ない場合はステップＳ１４０６へ進む。
【０１０５】
（ステップＳ１４０５）視聴・録画予約管理部２６は、宅内ＬＡＮの伝送帯域を消費しない録画機器に、視聴予約の時間内に空きデコーダがあるかどうかを調査し、ある場合はステップＳ１４０７へ進み、ない場合はステップＳ１４０６へ進む。
【０１０６】
（ステップＳ１４０７）視聴・録画予約管理部２６は、予約内容を宅内ＬＡＮ４の伝送帯域を消費しない録画機器へ代理録画するよう宅内ＬＡＮ４内の機器へ通知し、ステップＳ１４０８へ進む。
【０１０７】
（ステップＳ１４０６）視聴・録画予約管理部２６は、ＩＰ放送視聴を不可とし、視聴操作を行わない。
【０１０８】
（ステップＳ１４０８）視聴・録画予約管理部２６は、代理録画の予約完了通知を受け視聴予約処理を終了する。
【０１０９】
本実施の形態において、現在、ＩＰＴＶ８内の視聴・録画予約管理部２６が保持する視聴・録画予約状況管理テーブルの状態を図５の状態、録画機器デコーダ数管理部２７が保持する録画機器デコーダ数管理テーブルが図６の状態とし、これから、９月２日２０時〜２１時のＩＰ放送視聴予約を行う場合について説明する。
【０１１０】
まず、ＩＰＴＶ８において、９月２日２０時〜２１時のＩＰ放送視聴予約操作が行われる。次に、ＩＰＴＶ８内の宅内ＬＡＮ利用状況管理部２５は、視聴・録画予約管理部２６、録画機器デコーダ数管理部２７に問い合わせて、視聴・録画予約状況管理テーブルと録画機器デコーダ数管理テーブルを参照して、宅内ＬＡＮ利用状況管理テーブルを作成する。
【０１１１】
図１５に本実施の形態の場合の宅内ＬＡＮ利用状況管理テーブルを示す。
【０１１２】
宅内ＬＡＮ利用状況管理部２５は、作成した宅内ＬＡＮ利用状況管理テーブルを参照して、既設定されている当該時間の録画予約により宅内ＬＡＮ空き伝送帯域が録画予約するコンテンツの伝送レートより小さいかどうかを判定する。この場合、図１５に示すように、９月２日２０時〜２１時では空き伝送帯域が０Ｍｂｐｓとなるため、宅内ＬＡＮの伝送帯域を消費しない録画機器、すなわち、ルータに直接接続されているハードディスクレコーダ５があるかどうかを問い合わせる。
【０１１３】
この場合、ハードディスクレコーダ５は存在するので、宅内ＬＡＮ利用状況管理部２５は、ハードディスクレコーダ５に視聴予約を設定する時間において、空きデコーダがあるかどうかを調べる。本実施の形態の場合、９月２日２０時〜２１時では図１４の宅内ＬＡＮ利用状況管理テーブルを参照して、ハードディスクレコーダ５に空きデコーダがあることが確認できるため、図５の当該時間において予約番号の最も大きい、すなわち、最も遅い録画開始時間である予約番号１２のＩＰ放送録画をハードディスクレコーダ５に代理録画設定する。代理録画の設定方法は、実施の形態１などと同様の動作を行う。
【０１１４】
この結果、９月２日２０時〜２１時にＩＰＴＶ８でのＩＰ放送視聴が可能な宅内ＬＡＮ伝送帯域が確保されるため、ＩＰＴＶ８でのＩＰ放送視聴予約が設定可能となる。
【０１１５】
以上の動作により、本実施の形態によれば、視聴予約を行う場合に、宅内ＬＡＮの空き伝送帯域が足りない場合に、宅内ＬＡＮの伝送帯域を消費しない録画機器で代理録画を行うことで、視聴予約を行うことが可能となる。
【産業上の利用可能性】
【０１１６】
本発明にかかるＩＰ放送録画方法は、ＩＰ放送環境下における宅内ＬＡＮの優先制御技術として有用である。
【０１１７】
例えば、ＴＶ同軸ケーブルを用いた通信技術であるｃ．ＬＩＮＫや無線ＬＡＮ、電力線を用いた通信技術ＰＬＣ（Ｐｏｗｅｒ  Ｌｉｎｅ  Ｃｏｍｍｕｎｉｃａｔｉｏｎ）のように１つのネットワークで伝送帯域をシェアリングしているメッシュ型のネットワークにおいて、本発明は有効である。
【図面の簡単な説明】
【０１１８】
【図１】本発明の宅内ＬＡＮの一構成例を示す図
【図２】本発明におけるマスタ機器となる宅内受信装置の一構成例を示すブロック図
【図３】本発明におけるマスタ機器以外の宅内受信装置の一構成例を示すブロック図
【図４】本発明におけるマスタ機器以外の宅内受信装置の他の一構成例を示すブロック図
【図５】本発明の実施の形態１における視聴・録画予約状況管理テーブルの一例を示す図
【図６】本発明における録画機器デコーダ数管理テーブルの一例を示す図
【図７】本発明の実施の形態１における宅内ＬＡＮ利用状況管理テーブルの一例を示す図
【図８】同録画予約設定時の動作を示すフローチャート
【図９】同録画予約の代理設定時の動作を示すフローチャート
【図１０】同予約録画開始時の動作を示すフローチャート
【図１１】本発明の実施の形態２における予約録画開始時の動作を示すフローチャート
【図１２】同視聴・録画予約状況管理テーブルの一例を示す図
【図１３】本発明の実施の形態３における視聴操作時の動作を示すフローチャート
【図１４】本発明の実施の形態４における視聴予約設定時の動作を示すフローチャート
【図１５】同宅内ＬＡＮ利用状況管理テーブルの一例を示す図
【符号の説明】
【０１１９】
１  ＶＯＤサーバ
２  宅外ネットワーク
３  ルータ
４  宅内ＬＡＮ
５、６  ハードディスクレコーダ
７  ＳＴＢ
８、９、１０  ＩＰＴＶ
２３  ＬＡＮ  Ｉ／Ｆ
２４  ＩＰ放送受信ユニット
２５  宅内ＬＡＮ利用状況管理部
２６  視聴・録画予約管理部
２７  録画機器デコーダ数管理部
２８  記録装置
２９  ＷＡＮ  Ｉ／Ｆ
３０  表示装置
【図１】
2009182420.tif 000003
【図２】
2009182420.tif 000004
【図３】
2009182420.tif 000005
【図４】
2009182420.tif 000006
【図５】
2009182420.tif 000007
【図６】
2009182420.tif 000008
【図７】
2009182420.tif 000009
【図８】
2009182420.tif 000010
【図９】
2009182420.tif 000011
【図１０】
2009182420.tif 000012
【図１１】
2009182420.tif 000013
【図１２】
2009182420.tif 000014
【図１３】
2009182420.tif 000015
【図１４】
2009182420.tif 000016
【図１５】
2009182420.tif 000017